(57)【要約】【課題】  エレベータ式ホッパー等の扁平パイプの排出口からメダルボールの開口に排出される際にメダルが一杯になって詰まり、メダルボールの開口の隙間から溢れ出るのを防止する構造を得る。【解決手段】  メダルを払い出すメダルゲーム機１００において、筐体の底面に配置され、メダル払出し扁平パイプ５５が立設され、同パイプの上端から連設された水平通路５６の先端にメダルを払い出す払出し口を有するエレベータ式ホッパ５０と、該メダル払出し口先端に連接されると共に払出し口周囲を鍔状に覆う鍔部を有し、かつ前記払出し口に連接した排出口が鍔部より突出したガイド部６０と、該ガイド部の排出口５６ａが宛がわれる該ガイド部の排出口５６ａより多少大きいメダル払出し口２１を側面に有すると共にメダル払出し口の両脇に前記ガイド部の鍔部６１に当接可能な一対のガイド板２２を有するメダルボール２０とを備えたメダル処理装置。【選択図】図５
2006158795.tif 000002
【特許請求の範囲】
【請求項１】
遊戯者がゲームの勝敗を予測して、メダルを投入し操作部を操作してゲームを予測し、勝敗の結果に応じて、メダルを払い出すメダルゲーム機において、
筐体の底面に配置され、メダル払出し扁平パイプが立設され、同パイプの上端から連設された水平通路の先端にメダルを払い出す払出し口を有するエレベータ式ホッパと、
該メダル払出し口先端に連接されると共に払出し口周囲を鍔状に覆う鍔部を有し、かつ前記払出し口に連接した排出口が鍔部より突出したガイド部と、
該ガイド部の排出口が宛がわれる該ガイド部の排出口より多少大きいメダル払出し口を側面に有すると共にメダル払出し口の両脇に前記ガイド部の鍔部に当接可能な一対のガイド板を有するメダルボールと、
を備えたことを特徴とするメダル処理装置。
【請求項２】
請求項１において、
エレベータ式ホッパーのメダル払い出し扁平パイプの上部に天板から開閉可能に設けた蓋体と、
メダル払出し扁平パイプの上端後方に蓋体から垂下した係止片と、
を備えたことを特徴とするメダル処理装置。
【請求項３】
コイン処理装置を内蔵する筐体のコイン払出口において、
筐体を構成する板金加工面に設けた開口部と、
該開口部の縁部近傍に設けた複数の穴と、
該開口部の縁部近傍に内側に向けて設けた複数の溶接スタッドと、
前記開口部の縁部近傍に設けた複数の穴に対応する位置に溶接スタッドを設けると共に前記開口部より小さい中空開口を有する防腐性金属性の枠体板と、
前記中空開口に対応する開口を有し、該開口側に同一面に外側に前記筐体の開口部端に接しない範囲に鍔部を設け、さらに鍔部の外側に向け前記筐体の板厚分の段差部を前記筐体の開口部の縁を覆う範囲まで設け、該段差部に前記開口部に設けた溶接スタッドに対応する位置に複数の穴を有する防腐性板金板で構成された排出ボックスと、
を備え、
前記筐体の開口部の縁部近傍に設けた複数の穴に前記筐体の外側から枠体板の溶接スタッドを取り付け固定し、さらに前記排出ボックスを内側から前記枠体板に鍔部を当接させて鍔部に設けた段差部の穴を開口部に設けた溶接スタッドにて固定するコイン払出し口を有する、
ことを特徴とするメダル処理装置。
【請求項４】
コイン処理装置を内蔵する筐体のコイン払出口において、
筐体を構成する板金加工面に設けた開口部と、
該開口部の縁部近傍に設けた複数の穴と、
前記開口部の縁部近傍に設けた複数の穴に対応する位置に溶接スタッドを設けると共に前記開口部より小さい中空開口を有する防腐性金属性の枠体板と、
前記中空開口に対応する開口を有し、該開口側に同一面に外側に前記筐体の開口部端に接しない範囲に鍔部を設けた防腐性板金板で構成された排出ボックスと、
を備え、
前記枠体板に枠体の中空開口に合わせて前記排出ボックスの鍔部を前記枠体板にスポット溶接し、
前記筐体の開口部の縁部近傍に設けた複数の穴に前記筐体の外側から枠体板の溶接スタッドを取り付け固定したコイン払出し口を有する、
ことを特徴とするメダル処理装置。
【請求項５】
請求項３または４において、前記防腐性金属板はステンレス板であることを特徴とするメダル払出し口を有する、
ことを特徴とするメダル処理装置。
【発明の詳細な説明】
【技術分野】
【０００１】
本発明は、業務用メダルゲーム機や食券販売機等のコイン処理装置を内蔵する筐体の払出口の構造に特徴を有するメダル処置装置に関する。
【背景技術】
【０００２】
先に本願出願人は業務用メダルゲーム機におけるエレベータ式コインホッパーから筐体の天板に設けたメダルボールへの排出口の構造を開示した。
これは、メダルボールの奥側壁の左側部に、上下方向へ細長いメダル払出し口が形成され、このメダル払出し口の左右縁に隣接するとともに奥側壁の奥側面に左右一対のガイド板の基片が当接して、基片と奥側壁とがスポット溶接等で一体に結合され、一対のガイド板の間に、メダル払出し装置より、メダル払出し扁平角パイプの先端部が挿入され、奥側壁と仕切壁とで挟まれたメダル払い出し空間に、メダル払い出し装置よりメダル払い出し扁平パイプ及びメダル払出し口を介してメダルが払い出されるようになっている（例えば特許文献１参照。）。
【０００３】
さらに自動販売機等において、硬貨処理装置から払い出される硬貨は硬貨払出し口に払い出される。現在の一般的な自動販売機では筐体が塗装鉄板で作られており、硬貨取出口にはプラスチック製の取出口が筐体の外側から硬貨取り出し口に取り付けられている（例えば特許文献２参照。）。
また硬貨入出金機では、硬貨の取出口部分に筐体の内側からプラスチック製の枠体が宛がわれている（例えば特許文献３参照。）。
【０００４】
従来からの業務用メダルゲーム装置においては、ゲームの結果メダルを払い出す払出し口や、不良メダルを返却する返却口が筐体の天板や手前に開閉する扉に設けてある。
また、飲食店で用いられる食券販売機は、代金を投入して好みの飲食物のボタンを押すと、食券とお釣りが取出口に排出されるようになっている。
【０００５】
図１５には従来のメダルゲーム機や食券販売機の扉に設けた返却口の縦断面図を示す。扉０１には塗装が施され、方形に開口が開いており、内側に業務用メダルゲーム装置では不良メダルを返却し、または食券販売機では食券やお釣りを排出する排出ボックス０２が設けてある。
この排出ボックス０２は扉の開口０３に合せた方形体の開口を有するステンレス製の箱であり、開口０３の縁に合せて外側に向けて折曲片を有し鍔部２ａを構成している。排出ボックスの上側に設けた開口０４からメダルゲーム装置では不良メダルが落下し、あるいは食券販売機では食券やお釣りが落下してくる。
排出ボックスの底面２ｂは、取出口となる開口０３の下辺から一段低くなっており、該開口０３の下辺に向けて登り傾斜を有しており、排出ボックスの上側から落下してくるメダルや、食券、お釣りが外部に弾みで飛び出さないようになっている。
【０００６】
扉の外側には取出口の開口０３の周囲に沿って、中空のステンレス製の枠体板０５が取り付けてある。
該枠体板０５には螺子０５ａが溶接スタッドにより立設されている。扉０１には枠体板の螺子位置に対応する部分に丸穴が開けられている。さらに排出ボックスの鍔０２ａには前記扉の丸穴に対応する位置に丸穴が開いている。
排出ボックス０２を扉の取出口に取り付けるには、枠体板０５を扉の外側から螺子０５ａを扉の丸穴に差しこみ、排出ボックスの鍔部０２ａの丸穴に挿入して、扉の内側から０５ｂボルトにより締め付けて取り付けるのである。
【０００７】
【特許文献１】特願２００４−２５３６５７号（第９頁、図１３）
【特許文献２】特許第２９５０９２６号公報（第２頁、図１）
【特許文献３】特許第３１３８５０１号公報（第３頁、図１）
【発明の開示】
【発明が解決しようとする課題】
【０００８】
特許文献１における、メダルゲーム機におけるエレベータ式コインホッパーから筐体の天板に設けたメダル払出し箱への排出口の構造では、メダル払出し装置からメダル払出し扁平角パイプが上方に立設され先端部が横方向に短通路を形成して、メダル払出し箱の開口の両側に設けた一対のガイド板の間に僅かの隙間を有して挟まれて差し込まれているだけであり固定はしておらず、メダルが満杯になってくると、短通路にメダルが詰まってしまい、払い出されたメダルが開口の隙間から逆行して溢れ筐体の中に落ちる等の不具合が生じるのであった。
これはメダル装置の製造上、エレベータ式ホッパーのメダル払出し扁平パイプが上方でメダルボールの開口に無理無くメダルを排出させるためにはある程度の隙間が必要であり、この隙間の余裕がないと、製品のばらつきによりメダル払い出し扁平パイプに無理な歪が生じる場合があり、その場合にはメダル払出しパイプ内にメダルが詰まるなどの不具合が生じるのを防ぐためである。
【０００９】
さらに特許文献２、３では、硬貨取出口のところにプラスチック製の枠体を設けて筐体の鉄板部が露出しないようにしているが、この枠体の製造には、取出し口の大きさや形状に合せてその都度、型を起こす必要があり、少量生産機種では、型代が高くついてしまい装置全体のコストアップとなってしまうのであった。また取出口の枠体がプラスチック製では、コインの取り出し時に傷が付いたり、経年変化で劣化して割れたりしてしまうのであった。
そこで、特許文献３では、取り出し口部分にステンレス製の枠体を用いており、これは型が不要な分、コストが削減されるのであるが、この構造では、取り出し口の開口部分を外側の枠体と排出ボックスの鍔体で挟んだ状態で取り付けてあるので、筐体は塗装が施されているものの鉄板の板金であるために、使用が長期に亘ると、コイン等により、取出口部分の筐体の塗装が剥がれてしまい、錆が出してしまい、見た目にもよくないのであった。
【００１０】
本願の第１の目的は、エレベータ式ホッパー等の扁平パイプの排出口からメダルボールの開口に排出される際にメダルが一杯になって詰まり、メダルボールの開口の隙間から溢れ出るのを防止する構造を提供することにある。
さらに、本願の第２の目的は、業務用メダルゲーム機や食券販売機等のコイン排出口を丈夫で、見た目もきれいで、安全にすることにある。
【課題を解決するための手段】
【００１１】
上記第１の目的である課題を解決するために、本願発明では、遊戯者がゲームの勝敗を予測して、メダルを投入し操作部を操作してゲームを予測し、勝敗の結果に応じて、メダルを払い出すメダルゲーム機において、
筐体の底面に配置され、メダル払出し扁平パイプが立設され、同パイプの上端から連設された水平通路の先端にメダルを払い出す払出し口を有するエレベータ式ホッパと、該メダル払出し口先端に連接されると共に払出し口周囲を鍔状に覆う鍔部を有し、かつ前記払出し口に連接した排出口が鍔部より突出したガイド部と、該ガイド部の排出口が宛がわれる該ガイド部の排出口より多少大きいメダル払出し口を側面に有すると共にメダル払出し口の両脇に前記ガイド部の鍔部に当接可能な一対のガイド板を有するメダルボールと、を備えたメダル処理装置とした。
【００１２】
上記構成により、メダル払出し扁平パイプの排出口に鍔を有するガイド部の排出口がメダルボールのメダル払出口に宛がわれており、さらにガイド部が一対のガイド板で振れるのを防止し、メダルボールにメダルが充満してきてもメダルボールのメダル払出し口の隙間からメダルが外部に流れ出るのをガイド部の鍔で防止する。
【００１３】
さらに上記第１の目的である課題を解決するために、本願発明では上記発明において、エレベータ式ホッパーのメダル払い出し扁平パイプの上部に天板から開閉可能に設けた蓋体と、メダル払出し扁平パイプの上端後方に蓋体から垂下した係止片と、を備えたメダル処理装置とした。
上記構成により、メダル払出し扁平パイプの後方位置が天板に設けた蓋体の係止片により後方に動くことが静止されるので、振動等により、メダル払出し扁平パイプがメダルボールの払出し口から外れることが制止される。
【００１４】
上記第２の目的である課題を解決するために、本願発明では、コイン処理装置を内蔵する筐体のコイン払出口において、筐体を構成する板金加工面に設けた開口部と、該開口部の縁部近傍に設けた複数の穴と、該開口部の縁部近傍に内側に向けて設けた複数の溶接スタッドと、前記開口部の縁部近傍に設けた複数の穴に対応する位置に溶接スタッドを設けると共に前記開口部より小さい中空開口を有する防腐性金属性の枠体板と、前記中空開口に対応する開口を有し、該開口側に同一面に外側に前記筐体の開口部端に接しない範囲に鍔部を設け、さらに鍔部の外側に向け前記筐体の板厚分の段差部を前記筐体の開口部の縁を覆う範囲まで設け、該段差部に前記開口部に設けた溶接スタッドに対応する位置に複数の穴を有する防腐性板金板で構成された排出ボックスと、を備え、前記筐体の開口部の縁部近傍に設けた複数の穴に前記筐体の外側から枠体板の溶接スタッドを取り付け固定し、さらに前記排出ボックスを内側から前記枠体板に鍔部を当接させて鍔部に設けた段差部の穴を開口部に設けた溶接スタッドにて固定するコイン払出し口を有する
メダル処理装置とした。
【００１５】
上記構成とすることで、コイン払出し口部分は外側から防腐性板金板で囲われるとともに、内側の排出ボックスの開口部の縁が外側の板金板に当接し、排出ボックスの縁の段差部が筐体の内側の溶接スタッドで固定されるので、払出し口が防腐性板金で覆われ、筐体の開口は露出しないので、錆等の発生が防止される。
【００１６】
さらに、上記第２の目的である課題を解決するために、本願発明では、コイン処理装置を内蔵する筐体のコイン払出口において、筐体を構成する板金加工面に設けた開口部と、該開口部の縁部近傍に設けた複数の穴と、
前記開口部の縁部近傍に設けた複数の穴に対応する位置に溶接スタッドを設けると共に前記開口部より小さい中空開口を有する防腐性金属性の枠体板と、前記中空開口に対応する開口を有し、該開口側に同一面に外側に前記筐体の開口部端に接しない範囲に鍔部を設けた防腐性板金板で構成された排出ボックスと、を備え、
前記枠体板に枠体の中空開口に合わせて前記排出ボックスの鍔部を前記枠体板にスポット溶接し、前記筐体の開口部の縁部近傍に設けた複数の穴に前記筐体の外側から枠体板の溶接スタッドを取り付け固定したコイン払出し口を有する、メダル処理装置とした。
【００１７】
上記構成とすることで、コイン払出し口部分は排出ボックスの開口部に払出し口部分を覆う防腐性板金の枠体を溶接して一体としてあり、これを筐体の開口部の外側から筐体の開口部を囲み枠体板に設けたスタットにより筐体の開口縁の穴に固定したコイン払出し口としたので、錆等の発生が防止される。
【００１８】
さらに上記第２の目的である課題を解決するために、本願発明では、前記防腐性金属板はステンレス板であるメダル払出し口を有するメダル処理装置とした。
これにより、メダル取出し口経年変化による防腐性が向上するのである。
【発明の効果】
【００１９】
記の構成によりメダル払出し扁平パイプのガイド部がメダルボールの払出し口に宛がわれ、ガイド部の左右のずれは前記の左右のガイド板により阻止され、メダル払出し扁平パイプの後方へのずれは蓋体の係止片により阻止される。
また、エレベータ式ホッパーが振動等何らかの理由で多少位置がずれてもメダル払出し扁平パイプの排出口がメダルボールの払出し口から外れることがない。
さらに、メダルボール内にメダルが充満してきて、メダル払出し口まで埋まっても、メダル払出し口にはメダル払出し扁平パイプの先端に鍔を有するガイド部が宛がわれており、メダル払い出し口からメダルがメダルボールの外部に流出することがないのである。
【００２０】
上記構成とすることで、返却口の縁部分には扉の板金部分が露出することなく、枠体板（上挟板）と排出ボックスが当接することになり、見た目もきれいに仕上がり、しかも返却口は全てステンレス等の防腐性金属板となるので、経年変化に対し、変色したり、錆びたりすることがなく、耐久性もある。
【発明を実施するための最良の形態】
【００２１】
以上説明したような本発明によるメダルゲーム機用や食券販売機等のメダル装置の複数の実施の形態について、図面を参照して具体的に説明する。なおここではメダル、あるいはコインとは金属性の円板であり硬貨も含む用語として用いる。
【実施例１】
【００２２】
図１は、本発明の第１の実施の形態として、業務用メダルゲーム機に本発明を適用したメダル処理装置を示す概略斜視図である。図２は同内部を示す正面図である。図３は同内部を示す右側面図である。図４はメダル装置部分の正面分解斜視図であり、図５は同背面分解斜視図を示す。
メダルゲーム機としては、スロットマシン、カードゲーム、ルーレット、競馬ゲーム、ビンゴゲームなどのジャンルが一般的である。遊戯者は図示しないメイン筐体で行われる上述の各種ゲームに対し、遊戯者個々人がゲームの勝敗を予測して、メダルを投入し操作部を操作してゲームを予測し、勝敗の結果に応じて、メダルを払い出すサテライト筐体について以下に述べる。
【００２３】
まず、図１に示すように、サテライトの筐体１００の天板１には、左側にモニタ２や操作部３、およびモニタの上に点灯表示部４、天板１の右側にメダル処理装置１０を構成するメダルボール２０およびメダル投入口３０が設けられている。ここで、メダルボール２０は、複数枚のメダルを一括的に取り出し可能な開口面積を有し、ゲームプレイによって獲得され、払い出されたメダルを取り出すメダル取出口である。また、メダル投入口３０は、１枚以上かつ２枚未満のメダル厚さ寸法に等しい開口幅を有し手前側から略Ｕ字溝３１を有し、該Ｕ字溝３１に複数枚のメダルを並べてメダル投入口３０に向けて複数枚に並べたメダルを手で押すことで、メダル投入口３０にメダルを連続的に投入することが可能である。メダル投入口３０の下にはコインセレクタ３２があり、該コインセレクタ３２はメダル投入口３０から落下してくる正規のメダルと、不良メダル（異種メダル）を選別し、正規メダルであればコインスイッチ３２ａにより投入枚数を逐次カウントする機能を有している。
コインセレクタ３２で不良メダルと判定されたメダルは、排出樋３３を通して筐体の正面の扉５の返却口６に設けた排出ボックス４０に落下させ、返却口６から手で取り出すことができる。
また、筐体１００内部の床の手前中央には払出用のエスカレータ式ホッパ５０があり、コインセレクタ３２で正規のメダルと判定されたメダルは回収樋３４を通して、ホッパー５１の上に取り付けた、ホッパー５１の水平間口より広い漏斗状受部３５に滑り落ちる。
【００２４】
そして、前記漏斗状受部３５に滑り落ちたメダルは漏斗状受部の背面斜面を滑り落ちてホッパー５１に落下する。
前記漏斗状受部３５には蓋体３５ａが取り付けてあり、係止部３５ｂにより漏斗状受部３５に取り付けられている。
そしてエスカレータ式ホッパ５０において、適正なメダルの量を超えた場合には漏斗状受部３５から設けられた流し樋３６を通じて左側のメダル回収ボックス３７に溢れたメダルを流す。
ここで、エスカレータ式ホッパ５０はホッパ５１から設定された枚数のメダルを払い出すと共に、払出枚数を「ペイアウト数」としてカウントする機能を有する一般的なコインの払出用のエスカレータホッパであり、そのメダル払出扁平パイプ５５はメダル払出し装置５２から緩やかなカーブを形成してキリンの首状に上に伸びた立設通路５５ａとキリンの顔状に立設通路の上端から手前に向けて短い水平通路５６が連接し、水平通路の先端は排出口５６ａとなっている。
前記立設通路の上端隅にはコインセンサ５７が設けてあり、メダル払出し通路内のコインの通過を検出して、検出しない場合は図示しないホッパーモータを停止させ、それ以上の払出し通路内でのコイン詰まりを防止することができる。
【００２５】
図５に示す如く、前記水平通路５６の先端部の左右にＬ字のブラケット５８を水平通路５６に対し直角に取り付け、排出口５６ａに硬質樹脂製のガイド部６０をガイド部側から前記ブラケット５８に螺着してある。
図６はメダル払出し扁平パイプとメダルボールとの接続部分の拡大側面図である。
ガイド部６０は水平通路の排出口５６ａを鍔状に覆う鍔部６１と共に排出口５６ａに連接する縦長の開口部６２を有し、該開口部の肉厚部は鍔部より突出しており、メダルボールのメダル払出し口２１に宛がわれ、鍔部６１はメダル払出し口２１の周囲に当接する。この場合において、メダル払出し口２１は縦長方形であり、ガイド部の開口部６２の肉厚部はメダル払出し口２１より一回り小さくなっており、ガイド部６０がメダル払出し口２１内で多少、左右上下に位置を変えることが可能となっている。
【００２６】
前記メダル払出し口２１はメダルボールの奥側壁の左側部に、上下方向へ細長く開口が形成され、このメダル払出し口２１に前記ガイド部の開口部６０が位置する。そしてガイド部６０の左右側に隣接するとともに奥側壁の奥側面に左右一対のガイド板２２の基片２２ａが当接して、基片と奥側壁とのがスポット溶接等で一体に結合され、一対のガイド板２２の間に、メダル払出し扁平角パイプ５５に取り付けたガイド部６０が挿入され、奥側壁と仕切壁とで挟まれたメダル払い出し空間に、メダル払い出し装置５２よりメダル払い出し扁平パイプ５５及ガイド部６０、メダル払出し口２１を介してメダルＭが払い出されるようになっている。左右一対のガイド板２２とガイド部の鍔部６１との間には多少の隙間が存在しており、ガイド部６０がメダルボールのメダル排出口内２１で多少、左右に移動するのを許容する。
【００２７】
メダルボール２０の後方の天板１には横幅がメダルボール２０より広く縦幅がエレベータ式ホッパーの後方位置の倍程度ある略台形状の点検用の蓋体７０が鍵７１により天板１から上側に取り外して開閉可能に取り付けられている。該蓋体７０には手前端上側にメダル投入口３０が取り付けられ、その蓋体の下側にはメダル投入口３０から投入されたメダルを正規メダルと不良メダルとに選別するコインセレクタ３２が設けられている。コインセレクタ３２の左隣にはエレベータ式ホッパーのメダル払出し扁平パイプ５５が位置している。該蓋体７０には該メダル払出し扁平パイプ５５の上端後縁に当接あるいは僅かな隙間を有する係止片７２が垂下され、該係止片７２は下側が後方に傾斜した傾斜部７２ａを有している。これにより、蓋体７０を筐体の天板１に取り付ける際に、係止片７２がメダル払い出し扁平パイプ５５の後方に僅かな隙間を有して垂下しており、蓋体７０が天板１に取り付けられた後は、メダル払出し扁平パイプ５５が後方に大きくズレルのを防ぐ。メダル払出し扁平パイプ５５は排出口５８に取り付けたガイド部６０が前述したメダルボールの払出し口２１に宛がわれており、さらにガイド部６０は図５に示すメダルボールの払出し口２１の左右に設けた一対のガイド板により、左右にズレルのを防いでいる。
【００２８】
上記の構成によりメダル払出し扁平パイプのガイド部６０がメダルボールの払出し口２１に宛がわれ、ガイド部６０の左右のずれは前記の左右のガイド板２２により阻止され、メダル払出し扁平パイプ５５の後方へのずれは蓋体の係止片７２により阻止され、エレベータ式ホッパーが振動等何らかの理由で多少位置がずれてもメダル払出し扁平パイプの排出口５６ａがメダルボールの払出し口２１から外れることがない。
さらに、メダルボール２０内にメダルが充満してきて、メダル払出し口２１まで埋まっても、メダル払出し口２１にはメダル払出し扁平パイプの先端に鍔を有するガイド部６０が宛がわれており、メダル払い出し口２１からメダルがメダルボール２０の外部に流出することがないのである。
【実施例２】
【００２９】
以下に本発明の第２の目的である、業務用メダルゲーム機や食券販売機等のコイン排出口を丈夫で、見た目もきれいで、安全にする構造について述べる。以下の構造は上述したメダルボールを天板に取り付ける構造も同一に適用される。
【００３０】
図７には扉の正面図を示す。扉５は筐体１００の下側の正面にあり、冷間圧延板を板金加工し塗装が施されている。扉５の右上にコインの返却口６があり、扉５の右側中央部に鍵穴７が設けてある。扉５は鍵穴７に鍵を差しこんで鍵を解除することで、左側片のヒンジ８を軸に手前側に開けることができる。返却口６には、中央に返却口６の大きさに合せた中空部を有する枠体にした防腐性金属、例えばステンレス製の上挟板９が返却口６の周辺を囲んで取り付けてある。
【００３１】
図８は扉を内側から見た分解斜視図を示す。右上に四隅の角が取れた略方形の開口６ａを有しており、四隅には丸穴６ｂが開いている。前記上挟板９の四隅には接スタッドにより螺子９ａが立設されており、前記丸穴９ｂに螺子９ａを扉の外側から挿入して、扉の内側からナット９ｃにより扉に固定される。
さらに開口６ａの左右の辺には各２本の螺子６ｃが溶接スタッドにより立設され、排出ボックス４０を固着する。該開口６ａは返却口６の内縁（幅１０ｃｍ、高さ８．５ｃｍ）より一回りほど大きい。
【００３２】
図９は排出ボックスを示す図であり、（Ａ）は正面斜視図であり、（Ｂ）は平面断面図であり、（Ｃ）は側面図である。
排出ボックス４０は、ステンレス板で上面４１、奥面４２、底面４３を折り曲げ構成して、それに左右の側面４４、４５を前記各面の折曲片４１ａ、４２ａ、４３ａにスポット溶接Ｓにより取り付けて構成される。そして排出ボックス４０は、前記開口６ａより小さい縦横寸法の略方形体の一面が開放された箱体であり、排出ボックスの上側に設けた開口４６には受樋４６ａが取り付けられ、コインセレクタから落下してくる不良メダルを排出ボックス４０に導く。
【００３３】
排出ボックス４０の底面４３は、返却口６の下辺から一段低くなっており、底面の手前側は該返却口６の下辺に向けて登り傾斜４３ｂを有している。この登り傾斜４３ｂにより、排出ボックスの上側から落下してくるメダルが落下の弾みで外部に飛び出さないようになっている。
【００３４】
この排出ボックス４０は扉の開口６ａより一回り小さい方形体の開口（幅10ｃｍ、高さ８．１ｃｍ）を有するステンレス製の箱であり、開口６ａの縁に向けて左右の折曲片４４ｆ、４５ｆ、上側の折曲片４１ｆ、下側の折曲片４３ｆを有しており、いずれも同一平面上にある。該上側及び左右の折曲片４１ｆ、４４ｆ、４５ｆには開口６ａの縁の手前で扉５の厚み分ｔに奥方向に段差が設けられた段差部４１ｇ、４４ｇ、４５ｇを構成し、各段差部４１ｇ、４４ｇ、４５ｇは前記開口６ａの内側の周辺に当接する。段差部４４ｇ、４５ｇには前記螺子６ｃに対応する位置に丸穴４４ｈ、４５ｈが開いている。
【００３５】
図１０は図７の扉の正面図のうち、返却口の部分Ａ−Ａの平面断面図を示し、図１１は図１０の返却口の左側部の円内の部分拡大図である。
扉の開口６ａには外側から上挟板９が固着され、開口６ａの内縁を覆い隠す。さらに排出ボックスの段差部の丸穴４４ｈ、４５ｈが扉の内側に立設された螺子６ｃを挿通してナット６ｄで扉に固着されることで、各折曲片４１f、４３f、４４f、４５fが上挟板９に当接する。
これにより、返却口６は、扉の板金に触れることなく、ステンレス製の上挟板９が、スレンレス製の排出ボックスに接しており、見た目もきれいで、しかも経年変化にも錆びない返却口６となる。これによりメダルの取出し時にメダルで返却口を引っかいても、傷が付かず丈夫であり、耐久性が向上する。
【実施例３】
【００３６】
次に本発明の第２の目的の他の実施例を示す。図７の扉の正面図は共通であり、図１２は正面の扉を外側から見た分解斜視図を示す。扉５は右上に返却口６を取り付ける開口６ａがある。
返却口６には、中央に返却口６の大きさに合せた中空部を有する枠体のステンレス製の上挟板９が返却口６の周辺を囲んで取り付けられる。
【００３７】
扉５は冷間圧延板を板金加工して塗装が施され、右上に四隅の角が取れた略方形の開口６ａを有しており、四隅には丸穴６ｂが開いている。前記上挟板９の四隅には溶接スタッドにより螺子９ａが立設されており、前記丸穴６ｂに螺子９ａを扉の外側から挿入して、扉の内側からナット９ｃにより扉に固定されるようになっている。
【００３８】
図１３は排出ボックスを示す図であり、（Ａ）は正面斜視図であり、（Ｂ）は平面断面図であり、（Ｃ）は側面図である。
排出ボックス６０は、実施例１同様にステンレス板で上面６１、奥面６２、底面６３を折り曲げ構成して、それに左右の側面６４、６５を前記各面の折曲片にスポット溶接Ｓにより取り付けて構成される。そして排出ボックス６０は、扉の開口６ａより小さい縦横寸法の略方形体の一面が開放された箱体である。
【００３９】
排出ボックス６０の底面６３は、返却口６の下辺から一段低くなっており、底面の手前側は該返却口６の下辺に向けて登り傾斜６３ｂを有している。この登り傾斜により、排出ボックスの上側から落下してくるメダルが落下の弾みで外部に飛び出さないようになっている。
【００４０】
図１４は扉の返却口の左側部分の拡大平面断面図を示し、図１０の円内の拡大図に対応している。
この排出ボックス６０は扉の開口６ａより一回り小さい方形体の開口を有するステンレス製の箱であり、開口６ａの縁に向けて左右の折曲片６４f、６５f、上側の折曲片６１f、下側の折曲片６３fを有しており、その折曲片の外形は開口６ａよりも小いさく、いずれも同一面上にある。従って排出ボックス６０は開口６ａを挿通することができる。
前記折曲片６１ｆ、６３ｆ、６４ｆ、６５ｆは前記上挟板９の開口に合せて各折曲片に２箇所ずつスポット溶接Ｓｐにより上挟板９に固着される。
そして、上挟板を取り付けた排出ボックス６０は扉の外側から開口６ａにあてがい、上挟板９に立設された螺子９ａを扉の丸穴６ｂに挿通させ、排出ボックス６０を扉５に取り付けて、扉の内側からナット９ｃにより螺子９ａを固着する。これに中空部を有するステンレス製の上挟板９が扉の開口６ａの周辺を囲んで取り付られる。
【００４１】
上記構成とすることで、返却口６の縁部分には扉５の板金部分が露出することなく、上挟板９と排出ボックス４０または６０が当接することになり、見た目もきれいに仕上がり、しかも返却口は全てステンレスとなるので、経年変化にステンレスであるので、変色したり、錆びたりすることがなく、耐久性もある。
【図面の簡単な説明】
【００４２】
【図１】業務用メダルゲーム機に本発明を適用したメダル処理装置を示す概略斜視図である。
【図２】同メダル処理装置ノ内部を示す正面図である。
【図３】同内部を示す右側面図である。
【図４】メダル装置部分の正面分解斜視図である。
【図５】同背面分解斜視図である。
【図６】メダル払出し扁平パイプとメダルボールとの接続部分の拡大側面図である。
【図７】正面の扉の正面図である。
【図８】扉を内側から見た分解斜視図を示す
【図９】排出ボックスの図である。
【図１０】図９の扉の正面図のうち、返却口の部分の平面断面図である。
【図１１】図１０の返却口の左側の円内ｎ部分拡大図である。
【図１２】正面の扉を外側から見た分解斜視図である。
【図１２】図９は扉の返却口の部分の平面断面図を示し、
【図１３】図１０は図９の部分拡大図を示している。
【図１４】扉の返却口の左側部分の拡大平面断面図を示し、図１０の円内の拡大図に対応している。
【図１５】従来技術のコインの返却口の縦断断面図である。
【符号の説明】
【００４３】
１００  筐体
１  天板
２  モニタ
３  操作部
４  点灯表示部
５  扉
６  返却口
７  鍵
８  ヒンジ
９  上挟板
１０  メダル処理装置
２０  メダルボール
２１  メダル払出し口
２２ガイド板
３０  メダル投入口
３１  略Ｕ字溝
３２  コインセレクタ
３３  排出樋
３４  回収樋
３５  漏斗状受部
３６  流し樋
４０  排出ボックス
４１  上面
４２  下面
４３  底面
４４  左側面
４５  右側面
４６  開口
５０  エスカレータ式ホッパー
５１  ホッパー
５２  メダル払出し部
５５  メダル払出し扁平パイプ
５６  水平通路
５７  コインセンサ
６０  ガイド部
【図１】
2006158795.tif 000003
【図４】
2006158795.tif 000004
【図５】
2006158795.tif 000005
【図６】
2006158795.tif 000006
【図７】
2006158795.tif 000007
【図８】
2006158795.tif 000008
【図９】
2006158795.tif 000009
【図１０】
2006158795.tif 000010
【図１１】
2006158795.tif 000011
【図１２】
2006158795.tif 000012
【図１３】
2006158795.tif 000013
【図１４】
2006158795.tif 000014
【図１５】
2006158795.tif 000015
【図２】
2006158795.tif 000016
【図３】
2006158795.tif 000017
【手続補正書】
【提出日】平成17年1月20日(2005.1.20)
【手続補正１】
【補正対象書類名】明細書
【補正対象項目名】００４２
【補正方法】変更
【補正の内容】
【００４２】
【図１】業務用メダルゲーム機に本発明を適用したメダル処理装置を示す概略斜視図である。
【図２】同メダル処理装置の内部を示す正面図である。
【図３】同内部を示す右側面図である。
【図４】メダル装置部分の正面分解斜視図である。
【図５】同背面分解斜視図である。
【図６】メダル払出し扁平パイプとメダルボールとの接続部分の拡大側面図である。
【図７】正面の扉の正面図である。
【図８】扉を内側から見た分解斜視図を示す
【図９】排出ボックスの図である。
【図１０】図９の扉の正面図のうち、返却口の部分の平面断面図である。
【図１１】図１０の返却口の左側の円内の部分拡大図である。
【図１２】正面の扉を外側から見た分解斜視図である。
【図１３】排出ボックスの図である。
【図１４】扉の返却口の左側部分の拡大平面断面図を示し、図１０の円内の拡大図に対応している。
【図１５】従来技術のコインの返却口の縦断面図である。